(57)【要約】【課題】  専用の引き出し装置なしでテープを引き出すことができると共に、テープの傷や破損等のクレームが発生した場合には、支障をきたすことなく、良好な状態のテープを円滑に引き出すことができるように構成された多列巻き重ねテープを提供することをその課題とする。【解決手段】  本発明の多列巻き重ねテープは、軸方向に長さを有しかつ径方向に一定の厚みを有する単一の巻き取り芯と、単一の巻き取り芯に互いに隙間なくかつ独立した状態で各列がそれぞれ所定の幅でロール状に巻き重ねられた複数列のテープとを備え、複数列のテープの各列は、列毎に互いに独立して取り出することができるように構成される。【選択図】          図１
2006151523.tif 000002
【特許請求の範囲】
【請求項１】
軸方向に長さを有しかつ径方向に一定の厚みを有する単一の巻き取り芯と、
前記単一の巻き取り芯に互いに隙間なくかつ独立した状態で各列がそれぞれ所定の幅でロール状に巻き重ねられた複数列のテープとを備え、
前記複数列のテープの各列は、列毎に互いに独立して取り出することができるように構成されることを特徴とする多列巻き重ねテープ。
【請求項２】
前記単一の巻き取り芯の前記軸方向の長さは、前記複数列のテープの合計幅に応じて調整可能であることを特徴とする請求項１に記載の多列巻き重ねテープ。
【請求項３】
前記複数列のテープは、ｎ列で構成され、前記ｎは、ｎ≧２の整数であることを特徴とする請求項１に記載の多列巻き重ねテープ。
【請求項４】
前記複数列のテープの各列は、少なくとも２列以上を同時にかつ独立して取り出することができるように構成されることを特徴とする請求項３に記載の多列巻き重ねテープ。
【請求項５】
前記複数列のテープの前記所定の幅は、それぞれが同じ値を有することを特徴とする請求項１に記載の多列巻き重ねテープ。
【請求項６】
前記複数列のテープの前記所定の幅は、それぞれが異なる値を有することを特徴とする請求項１に記載の多列巻き重ねテープ。
【請求項７】
前記複数列のテープは、同じ値の幅を有する列と異なる値の幅を有する列との組合せであることを特徴とする請求項１に記載の多列巻き重ねテープ。
【請求項８】
前記複数列のテープの前記所定の幅は、ｗで表され、かつ前記ｗは、ｗ≦０．２５ミリメートルであることを特徴とする請求項１に記載の多列巻き重ねテープ。
【請求項９】
前記複数列のテープの前記所定の幅は、ｗで表され、かつ前記ｗは、ｗ≧０．２５ミリメートルであることを特徴とする請求項１に記載の多列巻き重ねテープ。
【請求項１０】
軸方向に長さを有しかつ径方向に一定の厚みを有する単一の巻き取り芯と、
各列がそれぞれ所定の幅になるように一つのテープからスリッター・ナイフによって同時に複数列にせん断された状態で前記単一の巻き取り芯に互いに隙間なくかつ独立した状態でロール状に巻き重ねられた複数列のテープとを備え、
前記複数列のテープの各列は、列毎に互いに独立して取り出することができるように構成されることを特徴とする多列巻き重ねテープ。
【請求項１１】
前記単一の巻き取り芯の前記軸方向の長さは、前記複数列のテープの合計幅に応じて調整可能であることを特徴とする請求項１０に記載の多列巻き重ねテープ。
【請求項１２】
前記複数列のテープは、ｎ列で構成され、前記ｎは、ｎ≧２の整数であることを特徴とする請求項１０に記載の多列巻き重ねテープ。
【発明の詳細な説明】
【技術分野】
【０００１】
本発明は、ＩＣチップキャリヤ等に用いる巻き重ねテープに関し、特にテープが長尺に巻き重ねられた多列巻き重ねテープに関する。
【背景技術】
【０００２】
従来の巻き重ねテープは、一つのテープを一つの巻き取り芯に長尺に巻き取る場合、通常の（長尺ではない場合の）「レコード巻き」とは異なる、糸巻き状の「トラバース巻き」によって製造されるのが一般的であった。
【発明の開示】
【発明が解決しようとする課題】
【０００３】
しかしながら、上述した従来の巻き重ねテープでは、テープを引き出すために専用の引き出し装置が必要であると同時に、テープの傷や破損等のクレームが発生した場合には、その原因を究明することが大変困難であり、その結果、テープの取り出し作業に支障をきたすという問題点があった。
また、「レコード巻き」によりテープを長尺に巻き取る、所謂、レコード巻きによる長尺化テープの場合には、（１）巻き取り外径が大きくなる、（２）取り扱いに注意が必要、（３）巻き崩れ防止梱包が必要、（４）大外径の為、取り付け治具又は改造が必要、等の問題点があった。
【０００４】
本発明は、上記従来の巻き重ねテープにおける問題点に鑑みてなされたものであり、専用の引き出し装置なしでテープを引き出すことができると共に、テープの傷や破損等のクレームが発生した場合には、支障をきたすことなく、良好な状態のテープを円滑に引き出すことができると共に、巻き取り外径を大きくすることなく、取り扱いが容易で、巻き崩れが発生しずらく、かつ新たな取り付け治具や改造を必要としない、多列巻き重ねテープを提供することをその課題とする。
【課題を解決するための手段】
【０００５】
本発明の上記課題は、軸方向に長さを有しかつ径方向に一定の厚みを有する単一の巻き取り芯と、前記単一の巻き取り芯に互いに隙間なくかつ独立した状態で各列がそれぞれ所定の幅でロール状に巻き重ねられた複数列のテープとを備え、前記複数列のテープの各列は、列毎に互いに独立して取り出することができるように構成されることを特徴とする多列巻き重ねテープによって達成される。
【０００６】
本発明の上記課題は、軸方向に長さを有しかつ径方向に一定の厚みを有する単一の巻き取り芯と、各列がそれぞれ所定の幅になるように一つのテープからスリッター・ナイフによって同時に複数列にせん断された状態で前記単一の巻き取り芯に互いに隙間なくかつ独立した状態でロール状に巻き重ねられた複数列のテープとを備え、前記複数列のテープの各列は、列毎に互いに独立して取り出することができるように構成されることを特徴とする多列巻き重ねテープによって達成される。
【発明の効果】
【０００７】
本発明の多列巻き重ねテープは、上述した構成により、専用の引き出し装置なしでテープを引き出すことができると共に、テープの傷や破損等のクレームが発生した場合には、支障をきたすことなく、良好な状態のテープを円滑に引き出すことができると共に、巻き取り外径を大きくすることなく、取り扱いが容易で、巻き崩れが発生しずらく、かつ新たな取り付け治具や改造を必要としないという効果を奏する。
本発明の多列巻き重ねテープは、上述した構成により、複数巻分のテープを一度に引き出し治具に装着することができるので、作業工程時間を短縮することができるという効果を奏する。
【発明を実施するための最良の形態】
【０００８】
本発明の多列巻き重ねテープでは、前記単一の巻き取り芯の前記軸方向の長さは、前記複数列のテープの合計幅に応じて調整可能であるように構成してもよい。
【０００９】
本発明の多列巻き重ねテープでは、前記複数列のテープは、ｎ列で構成され、前記ｎは、ｎ≧２の整数であってもよい。
【００１０】
本発明の多列巻き重ねテープでは、前記ｎは、ｎ＝５の整数であってもよい。
【００１１】
本発明の多列巻き重ねテープでは、前記複数列のテープの各列は、少なくとも２列以上を同時にかつ独立して取り出することができるように構成してもよい。
【００１２】
本発明の多列巻き重ねテープでは、前記複数列のテープの前記所定の幅は、それぞれが同じ値を有するように構成してもよい。
【００１３】
本発明の多列巻き重ねテープでは、前記複数列のテープの前記所定の幅は、それぞれが異なる値を有するように構成してもよい。
【００１４】
本発明の多列巻き重ねテープでは、前記複数列のテープは、同じ値の幅を有する列と異なる値の幅を有する列との組合せであってもよい。
【００１５】
本発明の多列巻き重ねテープでは、前記複数列のテープの前記所定の幅は、ｗで表され、かつ前記所定の幅ｗは、ｗ≦０．２５ミリメートルであってもよい。
【００１６】
本発明の多列巻き重ねテープでは、前記所定の幅ｗは、ｗ≧０．２５ミリメートルであってもよい。
【００１７】
本発明の多列巻き重ねテープでは、前記所定の幅ｗは、ｗ＝２．５ミリメートルであってもよい。
【００１８】
本発明の多列巻き重ねテープでは、前記所定の幅ｗは、ｗ≧２．５ミリメートルであってもよい。
【実施例】
【００１９】
以下、添付した図面を参照して、本発明による多列巻き重ねテープの好適な実施形態を説明する。
図１は、本発明の多列巻き重ねテープの一実施形態における構成を示す斜視図である。図１に示す多列巻き重ねテープは、紙管で形成された単一の巻き取り芯である芯材１０と、芯材１０に巻き重ねられた複数列のテープ２０とを備えている。
【００２０】
図２に示すように、本実施形態では、複数列のテープ２０は、５列のテープ２０ａ〜２０ｅで形成されており、５列のテープ２０ａ〜２０ｅは、互いに隙間なくかつ独立した状態でそれぞれが同一の所定の幅、本実施形態では２．５ｍｍ（ミリメートル）、で芯材１０にロール状に巻き重ねられている。
芯材１０は、その円筒状の軸方向に５列のテープ２０ａ〜２０ｅの全幅に対応する長さ、本実施形態では１２．５ｍｍの長さを有すると共に、巻き重ねられた５列のテープ２０ａ〜２０ｅの総重量を支えることができるように、その半方向に一定の厚み、本実施形態では、１０ｍｍを有して構成されている。
【００２１】
図３は、両端列のテープ２０ａ及び２０ｅが使用された後の状態を示す。図３に示すように、一本の芯材１０に巻き重ねられた５列のテープ２０ａ〜２０ｅは、列毎に互いに独立して取り出することができるように構成されている。
【００２２】
図１〜図３に示した本実施形態の多列巻き重ねテープは、５列のテープとして説明したが、本発明は、これに限定されるものではなく、より一般的には、複数列のテープは、ｎ列で構成され、ｎは、ｎ≧２の整数であってもよい。
【００２３】
本発明の多列巻き重ねテープでは、複数列のテープは、ｎ列で構成され、かつｎ≧２列以上を同時にかつ独立して取り出することができるように構成してもよい。
【００２４】
本発明の多列巻き重ねテープでは、複数列のテープの各列の幅ｗは、ｗ≦０．２５ｍｍであってもよいし、ｗ≧０．２５ｍｍであってもよいし、またｗ≧２．５ミリメートルであってもよい。
【００２５】
本発明の多列巻き重ねテープにおけるテープは、例えば、プラスチックフィルム、紙、等を基材として構成されるものであり、テープとして使用することが可能である基材であれば、特に限定されるものではない。
【００２６】
本発明の多列巻き重ねテープにおける芯材は、一例として紙管が示されているが、芯材として使用することが可能ある基材であれば、特に限定されるものではない。
【００２７】
以下、図１〜図３に示した本発明による多列巻き重ねテープの製造方法について簡略的に説明する。
図１〜図３に示した、本発明の多列巻き重ねテープは、複数列、本実施形態では５列のテープ２０ａ〜２０ｅが単一の芯材１０に巻き重ねられているが、各列のテープ２０ａ〜２０ｅは、それぞれの幅が同一の値になるように、一つのテープから幅調節式スリッター・ナイフまたは一定幅式スリッター・ナイフによって同時にせん断され（ステップＳ１）、５列にせん断された状態のままで同時に単一の芯材１０に巻き重ねられる（ステップＳ２）ことによって形成される。
【００２８】
上述した方法は、スリッター装置を利用して実施することができるが、本発明の多列巻き重ねテープを製造するためには、一つのテープから複数列のテープを、各列の幅を一定のまま維持しながらせん断することができるスリッター・ナイフが必要である。本発明の出願人によってこのスリッター・ナイフが開発された。その結果、複数列のテープの列間に無駄な隙間が形成されず、各列の幅も同一に維持することができ、優れた精度の複数列のテープを提供することができる。
【００２９】
また、上述した方法で製造された本発明の多列巻き重ねテープは、専用の引き出し装置なしでテープを引き出すことができると共に、テープの傷や破損等のクレームが発生した場合には、支障をきたすことなく、良好な状態のテープを円滑に引き出すことができると共に、巻き取り外径を大きくすることなく、取り扱いが容易で、巻き崩れが発生しずらく、かつ新たな取り付け治具や改造を必要としない。
【００３０】
更に、上述した方法で製造された本発明の多列巻き重ねテープは、複数巻分のテープを一度に引き出し治具に装着することができるので、作業工程時間を短縮することができるという効果を奏する。
【００３１】
上述した本発明の多列巻き重ねテープの実施形態では、複数列のテープの各列の幅を同一のものであるとして説明したが、本発明の多列巻き重ねテープは、これに限定されるものではなく、各列の幅が異なるものであってもよいし、異なる幅の列と同一幅の列との組合せであってもよい。また、列の幅調節は、ナノテクノロジーの技術開発及び処理可能なスケールの微細化に伴って、上述した幅調節式スリッター・ナイフを改良し、その改良された幅調節式スリッター・ナイフ用いることにより任意の幅の大きさに設定することができる。
【図面の簡単な説明】
【００３２】
【図１】図１は、本発明の多列巻き重ねテープの一実施形態における構成を示す斜視図である。
【図２】図２は、図１の多列巻き重ねテープの更に別の斜視図である。
【図３】図３は、図１の多列巻き重ねテープの両端列が使用された状態を示す斜視図である。
【符号の説明】
【００３３】
１０  芯材
２０  複数列のテープ
２０ａ〜２０ｅ  テープ
【図１】
2006151523.tif 000003
【図２】
2006151523.tif 000004
【図３】
2006151523.tif 000005